(57)【特許請求の範囲】
【請求項１】
メモリーカードを電子機器のカード受口内に挿抜してメモリーカードの電極とカード受口内のコンタクトとを接離しメモリーカードと電子機器間における情報伝達回路を開閉し、上記受口内に挿入状態に置かれているメモリーカードを挿入方向に手指で押圧操作することによりカード放出機構のカード放出動作を招来する構成としたカードイン稼動形電子機器であって、上記カード放出機構がカード挿入時にカード前縁に押圧されてカード放出弾力を蓄えるように配置されたカード放出部材を備え、該カード放出部材をカード放出待機位置とカード放出位置へ案内する固定カム及び摺動カムから成るカム機構を備え、該摺動カムが上記カード放出部材と連動して上記固定カムの周りを回動すると共に該回動過程で固定カムへ係脱し、該係脱によって上記カード放出部材のカード放出待機位置とカード放出位置を形成し、上記摺動カムが固定カムの前端を通過した位置まで前進した後バックストローク（Ｓ１）だけ後退して上記係止状態を形成するようにしたカードイン稼動形電子機器において、上記メモリーカード前縁に作用するカード放出部材に係止アームを設け、該係止アームの先端に上記摺動カムを形成し、該係止アームは上記放出部材と一緒に進退して上記係止アームの摺動カムを上記固定カムの周りに回動せしめ、上記固定カムとの係脱を得る構成とすると共に、上記バックストローク（Ｓ１）を上記電極のカード挿入方向の長さ（Ｓ２）の範囲内に設定し、電極とコンタクトとが接触状態を保ったまま上記摺動カムが上記バックストロークの範囲で前進し且つ後退して上記係止状態を得る構成としたことを特徴とするカードイン稼働形電子機器。
【発明の詳細な説明】
【０００１】
【発明の属する技術分野】
この発明はメモリーカードを挿抜するカード受口を持ったカードイン稼動形電子機器に関する。
【０００２】
【発明が解決しようとする課題】
近年、ユーザーが所持するメモリーカードを必要時に電子機器のカード受口に挿入して、電子機器からメモリーカードへ情報を入力して記録したり、或いはメモリーカードが所有する情報を電子機器に与える、カードイン稼動形電子機器が急速に普及されつつある。
【０００３】
従来、これらカードイン稼動形電子機器内に挿入されているメモリーカードを抜去する手段として、メモリーカードの挿入時に同カード後端がカード受口より突出するように挿入深さを設定し、この突出端をユーザの手指による抜き取りに供する方法、或いはカード受口の近傍にイジェクト釦を設けて置き、使用後ユーザーがこのイジェクト釦を押すことにより内蔵されたイジェクトレバーを作動させ、カード放出を行なう方法等が採られている。
【０００４】
然しながら、メモリーカードの突出端をユーザーが摘持して抜き取る方式は、手指で摘持するのに必要な相当な突出寸法が必要であり、これが外観を損ない、又外的衝撃によるカード損傷の機会を多くし、コンタクトに摩擦接触しているメモリーカードを個々のユーザーが不正常な姿勢で抜き取ることによりカード損傷を来す等の問題、抜き取り負荷が大きい等の問題点を有している。
【０００５】
又イジェクト釦方式ではスペース等の制約からイジェクト釦を適切な位置に設置することが困難であったり、又イジェクト釦が外観と小形化を損なう問題点を有している。
【０００６】
【課題を解決するための手段】
これに対し本発明はメモリーカードを電子機器のカード受口内に挿抜しメモリーカードと電子機器間における情報伝達回路を開閉するようにしたカードイン稼動形電子機器において、上記受口内に挿入状態に置かれているメモリーカードを挿入方向に手指で押圧操作することによりカード放出機構のカード放出動作を招来する構成としたことを特徴としている。
【０００７】
要述すると、メモリーカード前縁に作用するカード放出部材をカード放出待機位置とカード放出位置へ案内する固定カム及び摺動カムから成るカム機構を備え、該摺動カムが上記カード放出部材と連動して上記固定カムの周りを回動すると共に該回動過程で固定カムへ係脱し、該係脱によって上記カード放出部材のカード放出待機位置とカード放出位置を形成し、上記摺動カムが固定カムの前端を通過した位置まで前進した後バックストローク（Ｓ１）だけ後退して上記係止状態を形成する構成のカードイン稼動形電子機器において、上記メモリーカード前縁に作用するカード放出部材に係止アームを設け、該係止アームの先端に上記摺動カムを形成し、該係止アームは上記放出部材と一緒に進退して上記係止アームの摺動カムを上記固定カムの周りに回動せしめ、上記固定カムとの係脱を得る構成とする。
更に上記バックストローク（Ｓ１）を上記電極のカード挿入方向の長さ（Ｓ２）の範囲内に設定し、電極とコンタクトとが接触状態を保ったまま上記摺動カムが上記バックストロークの範囲で前進し且つ後退して上記係止状態を得る構成とした。
【０００８】
本発明は、前記した挿入状態にあるメモリーカードを手指で強制抜去する方式を排し、又イジェクト釦を設置せずに、メモリーカードに直接タッチすることで上記放出部材に設けた係止アームを固定カムに対し係脱させて、同カードを適正に放出する方式をカードイン稼動形電子機器上において適切に実現したものである。よって前掲した従来例の問題点を抜本的に解決したものである。
加えて上記摺動カムと固定カムを用いたカード放出機構においては、上記バックストロークの範囲でカード及びカードトレイ及び摺動カムが往復動する時、電極はコンタクトとの接触状態から一旦接触を解除する位置まで往動し、そこから復動して再びコンタクトとの接触状態を形成する悪現象を生じたり、後方に隣接する他の電極に接触し、メモリーカード上の記録を破壊したり、電源ラインを信号ラインや接地ラインにショートし上記破壊や誤動作を招来する恐れがあるが、本発明はこの問題に適切に対処し、上記効果を享受できるようにしたカードイン稼動形電子機器を提供するものである。
【０００９】
【発明の実施の形態】
この発明におけるカードイン稼動形電子機器としては、デジタルカメラ、ＰＤＡ、ゲーム機器、電子楽器、パソコン、ワープロ、ＦＡＸ、プリンター等、メモリーカードを挿入して情報の授受を行なう全ゆる電子機器が含まれる。
【００１０】
又メモリーカード１は扁平で方形の絶縁板にて一定の規格寸法を持ったカード本体が形成され、このカード本体にＩＣチップから成るメモリー素子を保有している。又カード本体の表面に多数の電極２が配置されている。
【００１１】
他方電子機器は上記メモリーカード１を挿入するカードコネクタ３を備える。該カードコネクタ３は扁平で外形が矩形を呈する絶縁材から成るハウジング４によってカード収容部５を形成し、該カード収容部５の端部を電子機器の前面パネル６において開口させカード受口７を形成している。
【００１２】
又ＩＣ収容部５内においてカード挿入に追随して前進するカードトレイ８を内蔵すると共に、該カードトレイ８の進退によって接触位置と接触解除位置に弾性変位される情報伝達回路形成用コンタクト９を備える。
【００１３】
図１乃至図３に示すように、上記メモリーカード１をカード受口７を通じてカード収容部５内に挿入した時、該カード１はカードトレイ８の上面に支持されつつその前端がトレイ８の前端に設けられた前当て１０に当接し、該トレイ８をカード１と共に前方へスライドせしめる。
【００１４】
即ちカードトレイ８はカード挿入に伴ない図１に示す後方スライド位置から図３に示す前方スライド位置へ前進し、カードトレイ８が図１に示す後方スライド位置に存する時、コンタクト９はカードトレイ８の底壁下面に当接して下方変位した状態（接触解除状態）にあり、又カードトレイ８が図３に示す前方スライド位置に前進した時に、コンタクト９はトレイ底壁下面を滑りながら該底壁に設けた接触口１１を通してトレイ８の底壁上面へ上方変位し、この変位によってコンタクト９が前記カード１の電極２に加圧接触する。
【００１５】
コンタクト９が電極２に接触することによって情報伝達回路が閉成されメモリーカード１のメモリー素子に記録された情報が電子機器の情報処理回路に与えられ、又は電子機器からメモリー素子に情報が与えられ記録される。
【００１６】
又上記各コンタクト９の端部は配線基板１２の表面にハンダ付けされ、該配線基板１２によって形成された情報処理回路に接続される。
【００１７】
カード放出機構は、カードトレイ８を後方スライド位置へ後退せしめ、これに伴ない前当て１０によりメモリーカード１を押圧しカード受口７を通し外部へ放出する。
【００１８】
カード１は上記放出機構によって少なくともコンタクト９と電極２の接触が断たれる位置まで後退される。これを放出と称し、カード１全体がカード受口７から脱落するような放出を意味しない。
【００１９】
上記カードトレイ８はバネ２３によりカード挿入方向と逆方向、即ち後退方向へ付勢されており、カードトレイ８はこのバネ２３に抗し前進し、このバネ８の畜勢弾力により後退される。この後退によってメモリーカード１の上記放出を行なうものである。
【００２０】
従って上記カードトレイ８は電極２に対するコンタクト９の接触と同解除を制御する手段として機能し、同時にメモリーカード１の前端縁に作用するカード放出部材として機能している。
【００２１】
上記カードトレイ８を用いないコネクタである場合には、図１６、図１７に示すようにメモリーカード１の前端縁に当接する専用の放出部材１３を設ける。カード放出機構はカード受口７内に挿入状態（情報伝達回路を閉成した状態）に置かれているメモリーカード１の後端を手指によりカード挿入方向へ若干押圧操作し前進せしめることによってカード放出動作を招来する手段であり、例えば上記カード放出部材１３と、このカード放出部材１３を弾持せるバネ２３と、このカード放出部材１３をカード放出待機位置とカード放出位置とに案内するカム機構１４とによって形成される。
【００２２】
次に図１乃至図１５に基き、カードトレイ８をカード放出部材１３として兼用した場合のカード放出機構の構造例と動作を説明する。
【００２３】
上記カム機構１４はカード放出部材１３を兼ねるカードトレイ８をカード放出待機位置とカード放出位置へ案内する固定カム１５及び摺動カム１６とから成る。
【００２４】
固定カム１５は前記コネクタハウジング４の底板１７の上面に一体成形し、摺動カム１６はコネクタハウジング４及びカードトレイ８とは分離独立せる別部品にて形成する。該摺動カム１６をカードトレイ８と底板１７との間に介在し、カードトレイ８の進退と連動して上記固定カム１５の周りを回動できるように配置する。
【００２５】
一適例として、上記底板１７の固定カム形成面と対向するカードトレイ８の表面に案内溝１８を設け、この案内溝１８内に上記摺動カム１６を滑合して、固定カム１５に対する摺動カム１６の相対位置を設定すると共に、摺動カム１６が上記案内溝１８の制限下においてカード挿入方向と直交する方向へ定量スライドできるようにする。
【００２６】
固定カム１５の周囲には摺動カム１６の回動を案内する環状の案内路１９が形成されており、以下に説明するように摺動カム１６はカード挿入と連動してこの案内路１９に沿って固定カム１５の周囲を回動する過程で固定カム１５に係脱し、前記放出部材を兼ねるカードトレイ８のカード放出待機位置とカード放出位置とを形成する。
【００２７】
図１乃至図５と図９乃至図１３とは、夫々対応した動作状態を示している。
【００２８】
図１、図９に示すように、メモリーカード１が挿入されていない時、カードトレイ８は最後退位置に存し、これに伴ない摺動カム１６は案内路１９の最後退位置に存している。
【００２９】
次に図２、図１０に示すように、メモリーカード１を受口７を通してカード収容部５内へ挿入するとカード前端縁が、カードトレイ８の前当て１０に当接し、引続くカードの挿入によりカードトレイ８がバネ２３の弾力に抗し前進を開始する。摺動カム１６はこのカードトレイ８の前進に追随して、固定カム１５の一方側の案内路１９に沿い前進し固定カム１５の前端を通過した位置で案内路１９の前端に形成された第１傾斜カム面２０に当接し、案内溝１８の一端方向へスライドしつつ、同カム面２０上を摺動する。
【００３０】
図３、図１１に示すように、メモリーカード１への手指による押圧力を解除すると、カードトレイ８、即ちカード放出部材１３が、バネ２３の畜勢弾力によって第１傾斜カム面２０の端部から、図１８Ａに示すバックストロークＳ１だけ後退し、固定カム１５の前端に設けた係合部２１に係合する。これによってカードトレイ８即ちカード放出部材１３の後退が阻止され、カード放出待機位置が形成される。
【００３１】
次に図４、図１２に示すように、メモリーカード１の使用後、挿入状態に存する同カード１の後端縁をバネ２３の弾力に抗し押圧すると、カードトレイ８及び摺動カム１６が上記バックストロークＳ１の範囲で前進して係合部２１との係合状態を解除しながら、摺動カム１６が案内路１９の前端に設けた第１傾斜カム面２０と隣接する第２傾斜カム面２２に当接し、前記案内溝１８の他端方向へスライドしつつ該第２傾斜カム面２２上を摺動する。
【００３２】
次に図５、図１３に示すように、メモリーカード１への手指による押圧力を解除すると、カードトレイ８及び摺動カム１６がカード放出バネ２３の畜勢弾力によって第２傾斜カム面２２の端部から、固定カム１５の他方側の案内路１９に沿い後退して固定カム１５の後端を通過し、この復動過程において第３傾斜カム面２４の案内により案内路１９の後端に至りカード放出位置を形成する。
【００３３】
このカードトレイ８のカード放出位置への後退に伴ない前当て１０によりカード１の前端縁を押圧しカード後端をカード受口７から適量だけ押出す。
【００３４】
この押出しによってカード１の電極２とコンタクト９の接触を解除する。少なくともこの接触解除位置までメモリーカードを後退せしめることをカード放出と称する。上記放出完了後、ユーザーはカード後端を摘持してカード受口７から容易に抜き取ることができる。
【００３５】
上記のように、摺動カム１６は固定カム１５の周りを周回軌道を以って回動し、前半の回動にて固定カム１５に係合してカード放出部材１３のカード放出待機状態を形成し、後半の回動にてカード放出部材１３によるカード放出動作を招来する。
【００３６】
上記摺動カム１６と協働する固定カム１５としてはハート形カム等が掲げられる。
【００３７】
図１８Ａに示すように、メモリーカード１及びカードトレイ８は実線で示す挿入位置からバックストロークＳ１に相当する距離だけ余分に前進し、メモリーカード１の挿入力を解除することによってバックストロークＳ１に相当する距離だけ後退し再び図１８Ａに実線で示す挿入位置において静止する。この静止状態において情報伝達回路が閉成され、前記情報の授受がなされる。
【００３８】
このバックストロークＳ１の範囲でカード１及びカードトレイ８並びに摺動カム１６が前進する時、電極２はコンタクト９表面との接触状態を保ったまま前進する。換言すると、バックストロークＳ１の距離は電極２のカード挿入方向の長さＳ２の範囲内に設定することが望ましい。
【００３９】
メモリーカード１は挿入時に、その後端を上記バックストロークＳ１に相当する寸法だけ受口７から露出して置くことによって前記放出動作を惹起せしめることができる。メモリーカード１の後端を単に押すだけでカード放出機構の放出動作を得るのであるから、カード１後端の受口７からの露出量は従来例の如くカード後端を摘持する場合に比べ、極めて限定された寸法で良い。
【００４０】
図１８Ｂに示すように、バックストロークＳ１′の距離を電極２のカード挿入方向の長さより長くすると、このバックストロークＳ１′の範囲でカード１及びカードトレイ８及び摺動カム１６が往復動する時、電極２はコンタクト９との接触状態から一旦接触を解除する位置まで往動し、そこから復動して再びコンタクト９との接触状態を形成する悪現象を生じたり、後方に隣接する他の電極に接触し、メモリーカード１上の記録を破壊したり、電源ラインを信号ラインや接地ラインにショートし上記破壊や誤動作を招来する恐れがある。よってバックストロークをＳ１に保つことが望ましい。
【００４１】
上記固定カム１５と摺動カム１６の対は、図９乃至図１３に示すように少なくとも一対設ける。又は図６乃至図８、図１４、図１５に示すように、固定カム１５と摺動カム１６との対を複数対設けることができる。図は四対のカムを設け同時作動させるようにしている。
【００４２】
具体例として、コネクタハウジング４の底板１７の上面に底板と共に一体成形した複数個の固定カム１５を設け、この各固定カム１５をメモリーカード１の挿入方向と直交する線上に並設する。他方摺動台１６′に複数個の摺動カム１６を一体成形して一部品化し、該各摺動カム１６をメモリーカード１の挿入方向と直交する方向に並設する。
【００４３】
摺動カム１６の摺動台１６′を前記案内溝１８内にスライド可に嵌合し、摺動カム１６を前記案内路１９内に嵌合する。
【００４４】
摺動カム１６と固定カム１５の動作は図９乃至図１３に基いて説明した通りであり、この動作に従って複数個の摺動カム１６と複数個の固定カム１５は同時作動する。複数個の摺動カム１６が複数個の固定カム１５に同時に係合することによって前記カード放出部材１３のカード放出待機位置を安定に保つことができ、又カード放出バネ２３の負荷に対する強度が確保できる。
【００４５】
次に図１６、図１７はメモリーカード１の前縁に作用するカード放出部材１３を設け、このカード放出部材１３に係止アーム１６″の後端を枢支し、同先端に摺動カム１６を設けて前記動作を得るようにしている。即ち、係止アーム１６″はカード放出部材１３に対する枢支部を支点として摺動カム１６と一緒に揺動しつつ進退して固定カム１５の周りを回動し、図１６に示すように前半の回動の終端において固定カム１５の係合部２１に係止しカード放出部材１３の前記カード放出待機状態を形成する。
【００４６】
又図１７に示すように、カード受口７を通じてコネクタハウジング４内に挿入されているメモリーカード１の後端を前記バックストロークＳ１に相当する寸法だけ手指で押圧しこの押圧を解除すると、摺動カム１３は係合部２１から外れてバネ２３の弾力により後半の回動を惹起し、この後半の回動にて放出部材１３によるカード放出動作を招来する。
【００４７】
上記のように本発明は、メモリーカード１前縁に作用するカード放出部材１３をカード放出待機位置とカード放出位置へ案内する固定カム１５及び摺動カム１６から成るカム機構１４を備え、該摺動カム１６が上記カード放出部材１３と連動して上記固定カム１５の周りを回動すると共に該回動過程で固定カム１５へ係脱し、該係脱によって上記カード放出部材１３のカード放出待機位置とカード放出位置を形成し、上記摺動カム１６が固定カム１５の前端を通過した位置まで前進した後バックストローク（Ｓ１）だけ後退して上記係止状態を形成する構成のカードイン稼動形電子機器において、上記メモリーカード１前縁に作用するカード放出部材１３に係止アーム１６″を設け、該係止アーム１６″の先端に上記摺動カム１６を形成し、該係止アーム１６″は上記放出部材１３と一緒に進退して上記係止アーム１６″の摺動カム１６を上記固定カム１５の周りに回動せしめ、上記固定カム１５との係脱を得る構成としたことにより、挿入状態に存するメモリーカード１の後端を僅かに押圧することにより、カード放出機構のカード放出動作を適切に招来する。よってイジェクト釦を設置する方式や、手指で強制抜去する方式等の問題点を抜本的に解決できる。
加えて上記摺動カム１６と固定カム１５を用いたカード放出機構においては、上記バックストロークの範囲でカード１及びカードトレイ８及び摺動カム１６が往復動する時、電極２はコンタクト９との接触状態から一旦接触を解除する位置まで往動し、そこから復動して再びコンタクト９との接触状態を形成する悪現象を生じたり、後方に隣接する他の電極２に接触し、メモリーカード１上の記録を破壊したり、電源ラインを信号ラインや接地ラインにショートし上記破壊や誤動作を招来する恐れがあるが、本発明は上記バックストローク（Ｓ１）を上記電極２のカード挿入方向の長さ（Ｓ２）の範囲内に設定し、電極２とコンタクト９とが接触状態を保ったまま上記摺動カム１６が上記バックストロークの範囲で前進し且つ後退して上記係止状態を得る構成とすることによりこの問題に適切に対処し、上記効果を享受できるようにしたカードイン稼動形電子機器を提供するものである。
【図面の簡単な説明】
【図１】本発明の一実施形態例を示すカードイン稼動形電子機器に使用されるコネクタ構造を、メモリーカードの挿入前の状態を以って示す断面図である。
【図２】上記コネクタにおいて、メモリーカードを終端まで挿入した状態を示す断面図である。
【図３】上記コネクタにおいて、メモリーカードが図２の位置からバックストロークＳ１だけ後退してカード放出部材のカード放出待機位置を形成すると共に、情報伝達回路を閉成している状態を示す断面図である。
【図４】上記コネクタにおいて、図３の挿入状態にあるメモリーカードの後端をバックストロークＳ１だけ押圧前進させ上記カード放出待機位置を解除した状態を示す断面図である。
【図５】上記コネクタにおいて、カード放出部材が図４の状態からカード放出位置まで移動しメモリーカードを放出した状態を示す断面図である。
【図６】Ａは上記コネクタの内部構造を示す平面図、Ｂは同コネクタにおけるカム機構部の断面図である。
【図７】図６におけるコネクタからカードトレイを除去してコネクタハウジングの底板の構造を示す平面図である。
【図８】上記カードトレイの摺動カムの嵌合構造を示す平面図である。
【図９】図１に示すコネクタに付設せるカード放出機構を、メモリーカードの挿入前の状態を以って示す平面図である。
【図１０】上記カード放出機構を、メモリーカードを終端まで挿入した状態を以って示す平面図である。
【図１１】上記カード放出機構を、メモリーカードが図２の位置からバックストロークＳ１だけ後退してカード放出部材のカード放出待機位置を形成した状態を以って示す平面図である。
【図１２】上記カード放出機構を、図３の挿入状態にあるメモリーカードの後端をバックストロークＳ１だけ押圧前進させて上記カード放出待機位置を解除した状態を以って示す平面図である。
【図１３】上記カード放出機構を、カード放出部材が図１２の状態からカード放出位置まで移動しメモリーカードを放出した状態を以って示す平面図である。
【図１４】上記カード放出機構を形成する固定カムと摺動カムの対を複数対設けた例を、カード放出位置を形成した状態を以って示す平面図である。
【図１５】図１４における複数対のカムを、カード放出待機位置を形成した状態を以って示す平面図である。
【図１６】上記カード放出機構の他例をカード放出位置を形成した状態を以って示す平面図である。
【図１７】図１６におけるカード放出機構を、カード放出待機位置を形成した状態を以って示す平面図である。
【図１８】Ａは本発明におけるカード放出に必要なメモリーカードの押圧量とバックストローク量を説明する平面図、Ｂはこれと対比させる同平面図である。
【符号の説明】
１          メモリーカード
２          電極
３          カードコネクタ
４          コネクタハウジング
５          ＩＣ収容部
６          前面パネル
７          カード受口
８          カードトレイ
９          コンタクト
１０          前当て
１１          接触口
１２          配線基板
１３          カード放出部材
１４          カム機構
１５          固定カム
１６          摺動カム
１６′        摺動台
１６″        係止アーム
１７          底板
１８          案内溝
１９          案内路
２０          第１傾斜カム面
２１          係合部
２２          第２傾斜カム面
２３          バネ
２４          第３傾斜カム面
Ｓ１，Ｓ１′  バックストローク
Ｓ２          電極の長さ
【図１】
0003571980.tif 000002
【図２】
0003571980.tif 000003
【図３】
0003571980.tif 000004
【図４】
0003571980.tif 000005
【図５】
0003571980.tif 000006
【図６】
0003571980.tif 000007
【図７】
0003571980.tif 000008
【図８】
0003571980.tif 000009
【図９】
0003571980.tif 000010
【図１０】
0003571980.tif 000011
【図１１】
0003571980.tif 000012
【図１２】
0003571980.tif 000013
【図１３】
0003571980.tif 000014
【図１４】
0003571980.tif 000015
【図１５】
0003571980.tif 000016
【図１６】
0003571980.tif 000017
【図１７】
0003571980.tif 000018
【図１８】
0003571980.tif 000019